(57)【要約】【課題】セキュリティを確保しながら携帯端末装置におけるネットワーク設定を簡単に行うことができるネットワーク設定情報の取得システム及び取得方法を提供する。【解決手段】ユーザーが携帯端末装置４を近距離無線通信により画像処理装置２に接続してユーザー情報を送信すると、画像処理装置は受信したユーザー情報と自身を特定可能な情報を認証サーバ１に送信する。認証サーバ１は、受信した情報と、記憶手段１４に記憶された、認証用ユーザー情報と、ユーザーがアクセス可能なネットワークについての情報と、ネットワークに接続された画像処理装置についての情報とに基づいて、画像処理装置２が接続されているネットワークに、ユーザーがアクセス可能か否かを判断し、アクセス可能な場合、そのネットワークに接続するためのネットワーク設定情報を画像処理装置２に通知し、画像処理装置はネットワーク設定情報を携帯端末装置４に通知する。【選択図】  図７
2014206937.tif 000002
【特許請求の範囲】
【請求項１】
互いに接続可能な認証サーバと画像処理装置とを備えると共に、前記画像処理装置と近距離無線通信手段により通信可能な携帯端末装置とを備え、
前記認証サーバは、
ユーザーを認証するための認証用ユーザー情報と該ユーザーがアクセス可能なネットワークについての情報とを関連付けて記憶すると共に、ネットワークに接続された画像処理装置についての情報を記憶する記憶手段と、
画像処理装置から、ユーザー情報と画像処理装置自身を特定可能な情報を受信する受信手段と、
前記受信手段により受信した前記ユーザー情報と画像処理装置自身を特定可能な情報と、前記記憶手段に記憶された、認証用ユーザー情報と、ユーザーがアクセス可能なネットワークについての情報と、ネットワークに接続された画像処理装置についての情報とに基づいて、前記画像処理装置が接続されているネットワークに、前記ユーザー情報で示されるユーザーがアクセス可能か否かを判断する判断手段と、
前記判断手段により、アクセス可能と判断された場合には、そのネットワークに接続するためのネットワーク設定情報を画像処理装置に通知する通知手段と、
を備え、
前記画像処理装置は、
携帯端末装置からユーザー情報を受信する受信手段と、
前記受信手段により受信したユーザー情報と画像処理装置自身を特定可能な情報を、前記認証サーバに送信する送信手段と、
前記認証サーバから前記ネットワーク設定情報が通知された場合には、その設定情報を前記携帯端末装置に前記近距離無線通信手段を介して通知する通知手段と、
を備え、
前記携帯端末装置は、
前記近距離無線通信手段を介してユーザー情報を前記画像処理装置に送信する送信手段と、
前記画像処理装置から、前記近距離無線通信手段を介して、前記ネットワーク設定情報を取得し、該設定情報を登録する登録手段と、
を備えていることを特徴とするネットワーク設定情報の取得システム。
【請求項２】
前記ネットワークは複数存在する請求項１に記載のネットワーク設定情報の取得システム。
【請求項３】
前記認証サーバの記憶手段には、ユーザーがアクセス可能なファイルサーバについての情報が記憶され、
認証サーバは、ネットワーク設定情報とともにファイルサーバについての情報を画像処理装置に通知し、
画像処理装置は、ネットワーク設定情報とともにファイルサーバについての情報を携帯端末装置に通知する請求項１または２に記載のネットワーク設定情報の取得システム。
【請求項４】
ユーザーが前記ネットワークにアクセス不可の場合、認証サーバはその旨を画像処理装置に通知し、
画像処理装置は、ユーザーがネットワークにアクセス不可であることを携帯端末装置に通知する請求項１〜３のいずれかに記載のネットワーク設定情報の取得システム。
【請求項５】
前記認証サーバの記憶手段には、画像処理装置の位置情報が記憶され、
ユーザーがネットワークにアクセス不可の場合、認証サーバは、ユーザーがアクセス可能なネットワークに接続されている他の画像処理装置の位置情報を前記画像処理装置に通知し、
前記画像処理装置は、前記他の画像処理装置の位置情報を携帯端末装置に通知する請求項４に記載のネットワーク設定情報の取得システム。
【請求項６】
前記認証サーバの記憶手段には、ユーザーの画像処理装置に対する利用制限情報が記憶され、
認証サーバは、ネットワーク設定情報とともに前記利用制限情報を画像処理装置に通知し、
画像処理装置は、ネットワーク設定情報とともに前記利用制限情報を携帯端末装置に通知する請求項１〜５のいずれかに記載のネットワーク設定情報の取得システム。
【請求項７】
互いに接続可能な認証サーバと画像処理装置とを備えると共に、前記画像処理装置と近距離無線通信手段により通信可能な携帯端末装置とを備えたシステムにおいて実行される、ネットワーク設定情報の取得方法であって、
前記認証サーバは、
ユーザーを認証するための認証用ユーザー情報と該ユーザーがアクセス可能なネットワークについての情報とを関連付けて記憶すると共に、ネットワークに接続された画像処理装置についての情報を記憶する記憶手段を備えるとともに、
画像処理装置から、ユーザー情報と画像処理装置自身を特定可能な情報を受信する受信ステップと、
前記受信ステップにおいて受信した前記ユーザー情報と画像処理装置自身を特定可能な情報と、前記記憶手段に記憶された、認証用ユーザー情報と、ユーザーがアクセス可能なネットワークについての情報と、ネットワークに接続された画像処理装置についての情報とに基づいて、前記画像処理装置が接続されているネットワークに、前記ユーザー情報で示されるユーザーがアクセス可能か否かを判断する判断ステップと、
前記判断ステップにおいて、アクセス可能と判断された場合には、そのネットワークに接続するためのネットワーク設定情報を画像処理装置に通知する通知ステップと、
を実行し、
前記画像処理装置は、
携帯端末装置からユーザー情報を受信する受信ステップと、
前記受信ステップにおいて受信したユーザー情報と画像処理装置自身を特定可能な情報を、前記認証サーバに送信する送信ステップと、
前記認証サーバから前記ネットワーク設定情報が通知された場合には、その設定情報を前記携帯端末装置に前記近距離無線通信手段を介して通知する通知ステップと、
を備え、
前記携帯端末装置は、
前記近距離無線通信手段を介してユーザー情報を前記画像処理装置に送信する送信ステップと、
前記画像処理装置から、前記近距離無線通信手段を介して、前記ネットワーク設定情報を取得し、該設定情報を登録する登録ステップと、
を実行することを特徴とするネットワーク設定情報の取得方法。
【発明の詳細な説明】
【技術分野】
【０００１】
この発明は、互いに接続可能な認証サーバと画像処理装置とを備えると共に、前記画像処理装置と近距離無線通信手段により通信可能な携帯端末装置とを備え、携帯端末装置がネットワークに接続するためのネットワーク設定情報を取得するネットワーク設定情報の取得システム及び取得方法に関する。
【背景技術】
【０００２】
携帯端末装置をオフィス内のWi-Fi（Wireless Fidelity）環境に接続する場合、SSID（Service Set Identifier）やパスワード等のネットワーク設定情報の入力が必要で、それらの情報を知らなければWi-Fi環境を使用することができない。
【０００３】
しかしながら、無線接続したい電子機器に対してSSID情報やパスワードを入力するネットワーク設定の操作は、ユーザにとって面倒であるという問題がある。また、ネットワーク設定の操作は、無線接続したい電子機器の操作に習熟しているユーザーでなければ困難であり、誰もが容易に実行できる操作とは言い難い。
【０００４】
さらに、SSID情報やパスワードは、それ自体が意味のない文字や数字の羅列であることが多いので、ユーザーが手動で入力する場合、入力間違いが発生する恐れがあった。
【０００５】
これらの問題に対して、特許文献１には、予め無線接続されたパーソナルコンピュータ内の設定情報を近距離無線通信等を利用して携帯端末装置に送信することにより、携帯端末装置側の無線設定を行う技術が開示されてる。また、Wi-Fiルータ側の操作により簡単な操作で設定を行う手法も提案されている。
【先行技術文献】
【特許文献】
【０００６】
【特許文献１】特開２００３−２２９８７２号公報
【発明の概要】
【発明が解決しようとする課題】
【０００７】
しかし、特許文献１に記載の技術等では携帯端末装置のユーザーまたは携帯端末装置自身の認証管理が行われておらず、それらを利用できる場所にいる場合には、誰でもLAN環境を使用する事が可能となり、セキュリティ上の問題があった。
【０００８】
この発明は、このような技術的背景に鑑みてなされたものであって、セキュリティを確保しながら携帯端末装置におけるネットワーク設定を簡単に行うことができるネットワーク設定情報の取得システム及び取得方法を提供することを課題とする。
【課題を解決するための手段】
【０００９】
上記課題は、以下の手段によって解決される。
（１）互いに接続可能な認証サーバと画像処理装置とを備えると共に、前記画像処理装置と近距離無線通信手段により通信可能な携帯端末装置とを備え、前記認証サーバは、ユーザーを認証するための認証用ユーザー情報と該ユーザーがアクセス可能なネットワークについての情報とを関連付けて記憶すると共に、ネットワークに接続された画像処理装置についての情報を記憶する記憶手段と、画像処理装置から、ユーザー情報と画像処理装置自身を特定可能な情報を受信する受信手段と、前記受信手段により受信した前記ユーザー情報と画像処理装置自身を特定可能な情報と、前記記憶手段に記憶された、認証用ユーザー情報と、ユーザーがアクセス可能なネットワークについての情報と、ネットワークに接続された画像処理装置についての情報とに基づいて、前記画像処理装置が接続されているネットワークに、前記ユーザー情報で示されるユーザーがアクセス可能か否かを判断する判断手段と、前記判断手段により、アクセス可能と判断された場合には、そのネットワークに接続するためのネットワーク設定情報を画像処理装置に通知する通知手段と、を備え、前記画像処理装置は、携帯端末装置からユーザー情報を受信する受信手段と、前記受信手段により受信したユーザー情報と画像処理装置自身を特定可能な情報を、前記認証サーバに送信する送信手段と、前記認証サーバから前記ネットワーク設定情報が通知された場合には、その設定情報を前記携帯端末装置に前記近距離無線通信手段を介して通知する通知手段と、を備え、前記携帯端末装置は、前記近距離無線通信手段を介してユーザー情報を前記画像処理装置に送信する送信手段と、前記画像処理装置から、前記近距離無線通信手段を介して、前記ネットワーク設定情報を取得し、該設定情報を登録する登録手段と、を備えていることを特徴とするネットワーク設定情報の取得システム。
（２）前記ネットワークは複数存在する前項１に記載のネットワーク設定情報の取得システム。
（３）前記認証サーバの記憶手段には、ユーザーがアクセス可能なファイルサーバについての情報が記憶され、認証サーバは、ネットワーク設定情報とともにファイルサーバについての情報を画像処理装置に通知し、画像処理装置は、ネットワーク設定情報とともにファイルサーバについての情報を携帯端末装置に通知する前項１または２に記載のネットワーク設定情報の取得システム。
（４）ユーザーが前記ネットワークにアクセス不可の場合、認証サーバはその旨を画像処理装置に通知し、画像処理装置は、ユーザーがネットワークにアクセス不可であることを携帯端末装置に通知する前項１〜３のいずれかに記載のネットワーク設定情報の取得システム。
（５）前記認証サーバの記憶手段には、画像処理装置の位置情報が記憶され、ユーザーがネットワークにアクセス不可の場合、認証サーバは、ユーザーがアクセス可能なネットワークに接続されている他の画像処理装置の位置情報を前記画像処理装置に通知し、前記画像処理装置は、前記他の画像処理装置の位置情報を携帯端末装置に通知する前項４に記載のネットワーク設定情報の取得システム。
（６）前記認証サーバの記憶手段には、ユーザーの画像処理装置に対する利用制限情報が記憶され、認証サーバは、ネットワーク設定情報とともに前記利用制限情報を画像処理装置に通知し、画像処理装置は、ネットワーク設定情報とともに前記利用制限情報を携帯端末装置に通知する前項１〜５のいずれかに記載のネットワーク設定情報の取得システム。
（７）互いに接続可能な認証サーバと画像処理装置とを備えると共に、前記画像処理装置と近距離無線通信手段により通信可能な携帯端末装置とを備えたシステムにおいて実行される、ネットワーク設定情報の取得方法であって、前記認証サーバは、ユーザーを認証するための認証用ユーザー情報と該ユーザーがアクセス可能なネットワークについての情報とを関連付けて記憶すると共に、ネットワークに接続された画像処理装置についての情報を記憶する記憶手段を備えるとともに、画像処理装置から、ユーザー情報と画像処理装置自身を特定可能な情報を受信する受信ステップと、前記受信ステップにおいて受信した前記ユーザー情報と画像処理装置自身を特定可能な情報と、前記記憶手段に記憶された、認証用ユーザー情報と、ユーザーがアクセス可能なネットワークについての情報と、ネットワークに接続された画像処理装置についての情報とに基づいて、前記画像処理装置が接続されているネットワークに、前記ユーザー情報で示されるユーザーがアクセス可能か否かを判断する判断ステップと、前記判断ステップにおいて、アクセス可能と判断された場合には、そのネットワークに接続するためのネットワーク設定情報を画像処理装置に通知する通知ステップと、を実行し、前記画像処理装置は、携帯端末装置からユーザー情報を受信する受信ステップと、前記受信ステップにおいて受信したユーザー情報と画像処理装置自身を特定可能な情報を、前記認証サーバに送信する送信ステップと、前記認証サーバから前記ネットワーク設定情報が通知された場合には、その設定情報を前記携帯端末装置に前記近距離無線通信手段を介して通知する通知ステップと、を備え、前記携帯端末装置は、前記近距離無線通信手段を介してユーザー情報を前記画像処理装置に送信する送信ステップと、前記画像処理装置から、前記近距離無線通信手段を介して、前記ネットワーク設定情報を取得し、該設定情報を登録する登録ステップと、を実行することを特徴とするネットワーク設定情報の取得方法。
【発明の効果】
【００１０】
前項（１）に記載の発明によれば、ユーザーが携帯端末装置を近距離無線通信により画像処理装置に接続してユーザー情報を送信すると、画像処理装置は受信したユーザー情報と、画像処理装置自身を特定可能な情報を認証サーバに送信する。認証サーバは、受信したユーザー情報と画像処理装置自身を特定可能な情報と、記憶手段に記憶された、認証用ユーザー情報と、ユーザーがアクセス可能なネットワークについての情報と、ネットワークに接続された画像処理装置についての情報とに基づいて、画像処理装置が接続されているネットワークに、ユーザー情報で示されるユーザーがアクセス可能か否かを判断し、アクセス可能な場合には、そのネットワークに接続するためのネットワーク設定情報を画像処理装置に通知し、画像処理装置はそのネットワーク設定情報を携帯端末装置に通知する。携帯端末装置は、通知されたネットワーク設定情報を登録する。
【００１１】
このように、携帯端末装置のユーザーが認証サーバで認証され、ネットワークにアクセス可能な場合にのみ、ネットワーク設定情報が携帯端末装置に通知されるから、セキュリティを確保しながら携帯端末装置におけるネットワーク設定を簡単に行うことができる。
【００１２】
前項（２）に記載の発明によれば、複数のネットワークが存在していても、ユーザーは本システムを利用することができる。
【００１３】
前項（３）に記載の発明によれば、ネットワーク設定情報とともにファイルサーバについての情報が携帯端末装置に通知されるから、ユーザーは携帯端末装置からファイルサーバーの利用も可能となる。
【００１４】
前項（４）に記載の発明によれば、ユーザーがネットワークにアクセス不可の場合は、携帯端末装置にアクセス不可であることが通知されるから、ユーザーにその旨を知らせることができる。
【００１５】
前項（５）に記載の発明によれば、ユーザーがネットワークにアクセス不可の場合は、そのユーザーがアクセス可能なネットワークに接続されている画像処理装置の位置情報が携帯端末装置に通知されるから、ユーザーはその画像処理装置を利用することで、ネットワークに接続することができる。
【００１６】
前項（６）に記載の発明によれば、ネットワーク設定情報とともに利用制限情報が携帯端末装置に通知されるから、ユーザーは画像処理装置に対する利用制限情報を認識できる。
【００１７】
前項（７）に記載の発明によれば、携帯端末装置のユーザーが認証サーバーで認証され、ネットワークにアクセス可能な場合にのみ、ネットワーク設定情報が携帯端末装置に通知されるから、セキュリティを確保しながら携帯端末装置におけるネットワーク設定を簡単に行うことができる。
【図面の簡単な説明】
【００１８】
【図１】この発明の一実施形態に係るネットワーク設定情報の取得システムの構成図である。
【図２】図１のシステムに用いられている認証サーバの構成を示すブロック図である。
【図３】認証サーバに保存されているテーブルの一例を示す図である。
【図４】図１のシステムに用いられている画像処理装置の構成を示すブロック図である。
【図５】図１のシステムに用いられている携帯端末装置の構成を示すブロック図である。
【図６】図１のシステムの動作を説明するための図である。
【図７】図１のシステムの認証サーバ、画像処理装置及び携帯端末装置の各動作を示すフローチャートである。
【図８】認証サーバが複数のネットワークを管理する例を示す図である。
【発明を実施するための形態】
【００１９】
以下、この発明の実施形態を図面に基づいて説明する。
【００２０】
図１は、この発明の一実施形態に係るネットワーク設定情報の取得システムの構成図である。
【００２１】
このネットワーク設定情報の取得システムは、認証サーバ１と画像処理装置２と複数のユーザー端末としてのパーソナルコンピュータ（以下、ＰＣという）３と携帯端末装置４と無線ＬＡＮルーター５を備え、画像処理装置２とＰＣ３と携帯端末装置４と無線ＬＡＮルーター５がオフィス内のネットワーク６に接続されると共に、認証サーバ１がこのネットワーク６と接続されている。
【００２２】
この実施形態では、画像処理装置として、コピー機能、プリンタ機能、スキャン機能、ファクシミリ機能等の複数の機能を有する多機能デジタル複合機であるＭＦＰ（Multi Function Peripherals）が用いられている。以下、画像処理装置をＭＦＰともいう。
【００２３】
前記認証サーバ１はＰＣからなり、図２に示すように、ＣＰＵ１１、ＲＯＭ１２、ＲＡＭ１３、記憶部１４、表示装置１５、入力装置１６、ネットワークインターフェース部（ネットワークＩ/F部）１７等を備え、システムバス１８を介して互いに接続されている。
【００２４】
ＣＰＵ１１は、ＲＯＭ１２に保存されているプログラムを実行することにより、前記サーバ１の全体を統括的に制御する。特に、この実施形態では、ＭＦＰ２から送信されるユーザーの認証情報とＭＦＰ自身を特定可能な情報を受信して、ユーザー認証を行うと共に、ＭＦＰ２が接続されているネットワーク６にユーザーがアクセス可能か否かを判断したり、アクセス可能と判断された場合には、そのネットワークに接続するためのネットワーク設定情報をＭＦＰ２に通知する等の処理を行うが、詳細については後述する。
【００２５】
ＲＯＭ１２は、ＣＰＵ１１が実行するためのプログラムやその他のデータを保存する記憶媒体である。
【００２６】
ＲＡＭ１３は、ＣＰＵ１１が動作用プログラムに従って動作する際の作業領域を提供する記憶媒体である。
【００２７】
記憶部１４は、ハードディスク等の記憶媒体からなり、ユーザー認証を行うための情報や、ユーザーがアクセス可能なネットワークか否かを判断するための情報等を記憶している。
【００２８】
具体的には、図３に示すように、ユーザー認証を行うための認証用ユーザー情報（ユーザー名と記している）と、ユーザーがアクセス可能なネットワークの情報と、ネットワークに接続されユーザーが使用可能なＭＦＰ（関連ＭＦＰと記している）のＩＰアドレスと、ユーザーが使用を許可されているファイルサーバーと、ユーザーに設定されているＭＦＰの利用制限情報とが関連付けられたテーブル（Ａ）を記憶している。
【００２９】
また、各ネットワークに接続するためのネットワーク設定情報としてのアクセスポイント情報（SSIDとパスワード）や（テーブル（Ｂ））、各ＭＦＰの位置情報である設置場所の情報（テーブル（Ｃ））も記憶されている。その他、各種のアプリケーションプログラムやデータ等も保存されている。なお、アクセスポイント情報は、ＭＦＰ２に保存されていても良い。
【００３０】
表示部１５は、ＣＲＴや液晶表示装置等からなり、各種のメッセージ及びユーザに対する入力受付画面、選択画面等を表示する。
【００３１】
入力装置１６は、ユーザによる入力操作に用いられるもので、キーボードやマウス等からなる。
【００３２】
ネットワークインターフェース部１７は、ＭＦＰ２や他の外部機器との間で、ネットワーク６等を介して、データの送受信を行う通信手段として機能する。
【００３３】
図４は、前記ＭＦＰ２の構成を示すブロック図である。
【００３４】
このＭＦＰ２は、ＣＰＵ２１と、ＲＯＭ２２と、ＲＡＭ２３と、スキャナ部２４と、記憶部２５と、プリンタ部２６と、操作パネル２７と、ネットワークコントローラ（Ｎ１Ｃ）２８と、近距離無線通信部２９等を備えている。
【００３５】
前記ＣＰＵ２１は、ＭＦＰ２の全体を統括制御し、コピー機能、プリンタ機能、スキャン機能、ファクシミリ機能等の基本機能を使用可能に制御する。また、認証サーバ１に、自装置を特定するＩＰアドレスとともに、携帯端末装置４から送信されたユーザー情報等をネットワークコントローラ２８を介して送信したり、認証サーバ１から通知されたネットワーク設定情報等を受信し、近距離無線通信部２９を介して携帯端末装置４に通知する等の処理を実行する。
【００３６】
前記ＲＯＭ２２は、ＣＰＵ２１の動作プログラム等を格納するメモリである。
【００３７】
前記ＲＡＭ２３は、ＣＰＵ２１が動作プログラムに基づいて動作する際の作業領域を提供するメモリである。
【００３８】
前記スキャナ部２４は、原稿台（図示せず）に置かれた原稿の画像を読み取り、画像データを出力する読み取り手段である。
【００３９】
前記記憶部２５は、例えばハードディスクドライブ（ＨＤＤ）などの不揮発性の記憶デバイスにより構成されており、スキャナ部２４で読み取られた原稿の画像データやＰＣ３、携帯端末装置４等から送信されてきたデータ等が記憶されている。
【００４０】
前記プリンタ部２６は、前記スキャナ部２４で読み取られた原稿の画像データや携帯端末装置４から指定されたデータ等を、指示されたモードに従って印刷するものである。
【００４１】
前記操作パネル２７は、各種入力操作等のために使用されるものであり、メッセージや操作画面等を表示するタッチパネル式液晶等からなる表示部２７１と、テンキー、スタートキー、ストップキー等を備えたキー入力部２７２を備えている。
【００４２】
前記ネットワークコントローラ２８は、ネットワーク上のＰＣ３他の画像形成装置や、その他の外部機器例えばユーザ端末等との間での通信を制御することにより、データの送受信を行うものである。
【００４３】
前記近距離無線通信部２９は、例えばＮＦＣ等の近距離無線通信技術により携帯端末装置４からユーザー情報を受信したり、携帯端末装置４にネットワーク設定情報等を送信するものである。なお、ユーザー情報を受信するために、ユーザー認証情報を携帯端末装置４から読み取るカードリーダー２０ａが設けられている。
【００４４】
図５は、携帯端末装置４の構成を示すブロック図である。この携帯端末装置４は、スマートフォン、タブレット端末、電子ペーパー等が用いられる。携帯端末２は、ＣＰＵ４１、ＲＡＭ４２、記憶部４３、表示部４４ａ、操作部４４ｂ、Wi-Fiモジュール４５、ＬＡＮコントローラ４６、ＵＳＢインターフェース４７、近距離無線通信部４８等を備えている。
【００４５】
前記ＣＰＵ４１は、携帯端末装置４の全体を統括的に制御するものであり、基本ソフトウェアであるＯＳ（Operating System）や各種のアプリケーションに従って動作する。
【００４６】
前記ＲＡＭ４２は、ＣＰＵ４１が動作プログラムに従って動作するときの作業領域となるメモリである。
【００４７】
前記記憶部４３は、各種のデータやアプリケーション等を記憶するものであり、ハードディスク装置などが用いられている。この実施形態では、基本ＯＳ、アプリケーション等のプログラムを記憶するとともに、携帯端末装置４を使用するユーザーを特定するためのユーザー情報を記憶している。
【００４８】
前記表示部４４ａは液晶等のデバイスからなり、操作部４４ｂは表示部４４ａに設けられ、タッチ入力操作が可能なタッチパネルからなる。タッチ操作は通常、タッチした指の数や指の移動に応じて操作内容を規定するジェスチャー操作によって行われる。
【００４９】
前記Wi-Fiモジュール４５は、ネットワーク６に無線接続するためのインターフェースであり、前記ＬＡＮコントローラ４６は、ＰＣ３等の外部装置との間の通信を制御するものである。また、前記ＵＳＢインターフェース４７は、携帯端末装置４を他の機器と有線接続するためのインターフェースである。近距離無線通信部４８はＭＦＰ２と近距離無線通信を行うものである。
【００５０】
次に、図１のシステムの動作の概要を、図６を用いて説明する。
【００５１】
携帯端末装置４は、ネットワーク接続要求をＭＦＰに対して送信した後、近距離無線通信部４８を介して、携帯端末装置４を使用するユーザーを特定できるユーザー情報を、ＭＦＰ２に送信する（図６（Ａ）（Ｂ）の丸数字１）。具体的には、例えばユーザー情報送信用ボタンを押下して近距離無線通信部４８を起動したのち、携帯端末装置４をカードリーダー２９ａに近づける。なお、この実施形態ではユーザー情報は記憶部４３に記憶されているものとして説明したが、その都度、ユーザーが携帯端末装置４に入力しても良い。
【００５２】
ＭＦＰ２は、カードリーダー２９ａを介してユーザー情報を読み取るとともに、この読み取ったユーザー情報と自装置を特定するためのＩＰアドレス等のＭＦＰ情報を、認証サーバー１に送信し（図６（Ａ）（Ｂ）の丸数字２）、ＭＦＰ２が設置されている領域のネットワーク６へのユーザーのアクセス可否を問合せる。
【００５３】
認証サーバ１は保持しているユーザーの認証用情報とＭＦＰから送信されてきたユーザー情報を照合し、該当するユーザーであれば、図３のテーブル（Ａ）と送信されてきたＭＦＰ情報とに基づいて、そのＭＦＰ２が接続されているネットワーク６に、ユーザー情報で示されるユーザーがアクセス可能か否かを判断する（図６（Ｂ）の丸数字３）。
【００５４】
アクセス不可の場合、認証サーバ１はアクセス不可情報をＭＦＰ２に通知し、アクセス可能な場合、認証サーバ１はネットワークに接続するためのネットワーク設定情報（アクセスポイント情報であるSSID、パスワード等）を、ＭＦＰ２に通知する（図６（Ａ）（Ｂ）の丸数字４）。
【００５５】
ＭＦＰ２は受信したアクセス不可情報またはアクセスポイント情報を、携帯端末装置４に通知する（図６（Ａ）（Ｂ）の丸数字５）。
【００５６】
携帯端末装置４は、通知されたアクセスポイント情報を登録し（図６（Ｂ）の丸数字６）、これによりネットワーク６への無線接続が可能となる。
【００５７】
図７は、上記で説明したシステムの動作が実施される場合の、認証サーバー１、ＭＦＰ２及び携帯端末装置４のそれぞれ個別の処理を示すフローチャートである。
【００５８】
ステップＳ１１で、携帯端末装置４はネットワーク接続要求をＭＦＰ２に送信する。
【００５９】
ユーザーが携帯端末装置４をカードーリーダー２９ａにかざしてユーザー情報を送信すると、ＭＦＰ２は、ステップＳ２２で、ユーザー情報を取得したのち、ステップＳ２３で、ユーザー情報とＭＦＰ情報を認証サーバ１に送信し、認証サーバ１からの送信を待つ。
【００６０】
認証サーバ１は、ステップＳ３１でユーザー情報とＭＦＰ情報を受信すると、ステップＳ３２で、ＭＦＰが接続されているネットワークに、ユーザー情報で示されるユーザーがアクセスを許可されているか否かを判断する。
【００６１】
許可されていれば（ステップＳ３２で許可有）、ステップＳ３３で、アクセスポイント情報をＭＦＰ２に送信する。許可されていなければ（ステップＳ３２で許可無）、ステップＳ３４で、アクセス不可情報をＭＦＰ２に送信する。
【００６２】
ＭＦＰ２は、ステップＳ２４で、アクセスポイント情報またはアクセス不可情報を受信し、これらを携帯端末装置４に送信する。
【００６３】
携帯端末装置４は、ステップＳ１２で、アクセスポイント情報またはアクセス不可情報を受信し、ステップＳ１３で、受信結果に基づいてネットワークへのアクセスの可否を判断する。
【００６４】
アクセスが可能であれば（ステップＳ１３で可）、ステップＳ１４で、アクセスポイント情報を登録し、設定値に設定したのち、ステップＳ１５で接続許可を表示部４４ａに表示する。アクセスが不可であれば（ステップＳ１３で不可）、ステップＳ１６で、接続不可を表示部４４ａに表示する。
【００６５】
このようにこの実施形態では、ユーザーが携帯端末装置４をカードリーダー２９ａにかざすと、近距離無線通信によりユーザー情報がＭＦＰ２に送信され、ＭＦＰ２から認証サーバ１へと送信され、認証サーバ１でユーザーがＭＦＰ２が接続されているネットワークへアクセス可能か否かが判断され、アクセス不可の場合は不可情報が、アクセス可能な場合はアクセスポイント情報が、認証サーバ１からＭＦＰ２へ通知され、さらにＭＦＰ２から携帯端末装置４へと通知される。また、ＭＦＰ２から携帯端末装置４へと通知されたアクセスポイント情報は携帯端末装置２で登録される。
【００６６】
従って、携帯端末装置４のユーザーが認証サーバ１で認証され、ネットワークにアクセス可能な場合にのみ、アクセスポイント情報が携帯端末装置４に通知されるから、セキュリティを確保しながら携帯端末装置４におけるネットワーク設定を簡単に行うことができる。
【００６７】
以上、本発明の一実施形態を説明したが、本発明は上記実施形態に限定されることはない。
【００６８】
例えば、ＭＦＰ２が接続されているネットワークへユーザーがアクセスできない場合、アクセス不可情報が携帯端末装置４へ送信されるものとしたが、アクセス不可情報と共に、図３のテーブル（Ａ）及び（Ｃ）に基づいて、ユーザーがアクセス可能なネットワークに接続されているＭＦＰ２の位置情報を携帯端末４に通知しても良い。これにより、ユーザーは通知されたＭＦＰ２に接続してユーザー情報を送信し、ひいてはネットワークに無線接続可能となる。
【００６９】
また、ＭＦＰ２が接続されているネットワークへユーザーがアクセスできる場合に、アクセスポイント情報と共に、図３（Ａ）のテーブルに規定されている利用可能なファイルサーバについての情報も携帯端末装置４に通知し、携帯端末装置４はこのファイルサーバーをユーザーが利用できるように、アプリケーションに反映しても良い。
【００７０】
また、ＭＦＰ２が接続されているネットワークへユーザーがアクセスできる場合に、アクセスポイント情報と共に、図３（Ａ）のテーブルに規定されているＭＦＰ２の利用制限情報も携帯端末装置４に通知し、携帯端末装置４はこの利用制限の範囲内でユーザーがＭＦＰ２を利用できるように、アプリケーションに反映しても良い。
【００７１】
また、図８に示すように、認証サーバ１は複数のネットワーク６を管理していても良い。図８の例では、本社オフィスのネットワークシステムＡと支社のネットワークシステムＢを１台の認証サーバ１で管理しており、ユーザーは本社オフィスにおいても支社においても、本システムを利用することができる。
【００７２】
以上の実施形態では、認証サーバ１とＭＦＰ２とは別々の装置として構成されている場合を示したが、ＭＦＰ２が認証サーバ１としての機能を備えていても良い。
【符号の説明】
【００７３】
１      認証サーバ
１１    ＣＰＵ
１４    記憶部
２      画像処理装置
２１    ＣＰＵ
２３    記憶部
２９    近距離無線通信部
４      携帯端末装置
４１    ＣＰＵ
４８    近距離無線通信部
【図１】
2014206937.tif 000003
【図２】
2014206937.tif 000004
【図３】
2014206937.tif 000005
【図４】
2014206937.tif 000006
【図５】
2014206937.tif 000007
【図６】
2014206937.tif 000008
【図７】
2014206937.tif 000009
【図８】
2014206937.tif 000010